【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
データ表面を有する光ディスクと、
前記データ表面に隣接する、選択的に半径方向の位置決めが可能な先端部を有するアクチュエータ・アームと、
光源およびコイルとして形成される電気導体と光学的に結合する光学要素を含む変換要素と、
前記アクチュエータ・アームを位置決めするため、および前記変換要素を介して前記データ表面上の情報を変換するために前記アクチュエータ・アームおよび前記変換要素に結合されたコントローラであって、書込み動作中に前記電気導体へ電流を供給するコントローラと、
前記アクチュエータ・アームの先端部に結合されて前記変換要素を担持するスライダであって、上面と前記ディスクの回転によって前記データ表面に隣接して移動するようになっている空気軸受表面とを有し、また前記空気軸受表面から前記データ表面に向かって延びるように前記空気軸受表面上に形成された、前記コイルを取り付けることのできる形状のメサを含み、該コイルが、前記空気軸受表面に近接し、且つ前記空気軸受表面と概ね平行で前記メサと概ね同一平面上の軌道内で前記メサの周りに巻き付けられており、前記メサが、エバネセント場を介して前記データ表面へ光を連結するようになっているプラトーを含むスライダと
を有する光ディスク・データ記憶システム。
【請求項２】
前記光学要素が焦点メカニズムを含み、前記メサが焦点メカニズムの一部分を含む請求項１に記載の光ディスク・データ記憶システム。
【請求項３】
前記メサが段を含む請求項２に記載の光ディスク・データ記憶システム。
【請求項４】
前記メサがテーパ付き側壁を有する請求項１に記載の光ディスク・データ記憶システム。
【請求項５】
前記光源からの光が実質的に円錐を形成する前記メサを通過し、前記テーパ付き側壁の断面積が前記円錐の断面積より大きく、それによって前記円錐が前記テーパ付き側壁を越えて延在することがなく、前記側壁のテーパが前記円錐のテーパとに実質的に調和するように選択されている請求項４に記載の光ディスク・データ記憶システム。
【請求項６】
前記テーパ付き側壁が、前記メサにおける少なくとも１つの段によって形成されている請求項４に記載の光ディスク・データ記憶システム。
【請求項７】
前記電気導体の一部分が前記段上に配置される請求項６に記載の光ディスク・データ記憶システム。
【請求項８】
前記電気導体が第１コイル平面および第２コイル平面を含み、前記第１コイル平面が前記段に隣接しており、前記第２コイル平面が、前記スライダに隣接し且つ前記第１コイル平面と前記スライダの前記空気軸受表面との間に配置されている請求項７に記載の光ディスク・データ記憶システム。
【請求項９】
前記テーパ付き側壁が前記スライダの前記空気軸受表面と約４５°の角度を成す請求項４に記載の光ディスク・データ記憶システム。
【請求項１０】
前記焦点メカニズムが固体浸漬レンズ（ＳＩＬ）を含み、前記メサが前記ＳＩＬの一部分を形成する請求項２に記載の光ディスク・データ記憶システム。
【請求項１１】
前記メサがマスキングおよびエッチング工程を通じて前記スライダ内に形成される請求項１に記載の光ディスク・データ記憶システム。
【請求項１２】
前記光学要素が、前記スライダの前記上面に結合された、実質的に前記メサと位置合せされているレンズ・キャップを含む請求項１に記載の光ディスク・データ記憶システム。
【請求項１３】
前記メサが前記空気軸受表面の平面内で延びている請求項１に記載の光ディスク・データ記憶システム。
【請求項１４】
前記光源がレーザを含む請求項１に記載の光ディスク・データ記憶システム。
【請求項１５】
前記コイルが、前記電気導体の電気インダクタンスを増大し且つ電気抵抗を減少するように形成される請求項１に記載の光ディスク・データ記憶システム。
【請求項１６】
データ表面を有する光ディスクと、
前記データ表面に隣接する、選択的に半径方向の位置決めが可能な先端部を有するアクチュエータ・アームと、
光源およびコイルとして形成される電気導体と光学的に結合する光学要素を含む変換要素と、
前記アクチュエータ・アームを位置決めするため、および前記変換要素を介して前記データ表面上の情報を変換するために前記アクチュエータ・アームおよび前記変換要素に結合されたコントローラであって、書込み動作中に前記電気導体へ電流を供給するコントローラと、
前記アクチュエータ・アームの先端部に結合されて前記変換要素を担持するスライダであって、上面と前記ディスクの回転によって前記データ表面に隣接して移動するようになっている空気軸受表面とを有し、また前記空気軸受表面から前記データ表面に向かって延びるように前記空気軸受表面上に形成された、前記コイルを取り付けることのできる形状のメサを含み、該コイルが、前記空気軸受表面に近接し、且つ前記空気軸受表面と概ね平行で前記メサと概ね同一平面上の軌道内で前記メサの周りに巻き付けられており、前記メサが、テーパ付き側壁を有しているスライダと
を有する光ディスク・データ記憶システム。
【請求項１７】
前記光学要素が焦点メカニズムを含み、前記メサが焦点メカニズムの一部分を含む請求項１６に記載の光ディスク・データ記憶システム。
【請求項１８】
前記メサが、エバネセント場を介して前記データ表面へ光を連結するようになっているプラトーを含む請求項１７に記載の光ディスク・データ記憶システム。
【請求項１９】
前記光源からの光が実質的に円錐を形成する前記メサを通過し、前記テーパ付き側壁の断面積が前記円錐の断面積より大きく、それによって前記円錐が前記テーパ付き側壁を越えて延在することがなく、前記側壁のテーパが前記円錐のテーパとに実質的に調和するように選択されている請求項１６に記載の光ディスク・データ記憶システム。
【請求項２０】
前記テーパ付き側壁が、前記メサにおける少なくとも１つの段によって形成されている請求項１６に記載の光ディスク・データ記憶システム。
【請求項２１】
前記電気導体の一部分が前記段上に配置される請求項２０に記載の光ディスク・データ記憶システム。
【請求項２２】
前記電気導体が第１コイル平面および第２コイル平面を含み、前記第１コイル平面が前記段に隣接しており、前記第２コイル平面が、前記スライダに隣接し且つ前記第１コイル平面と前記スライダの前記空気軸受表面との間に配置されている請求項２１に記載の光ディスク・データ記憶システム。
【請求項２３】
前記テーパ付き側壁が前記スライダの前記空気軸受表面と約４５°の角度を成す請求項１６に記載の光ディスク・データ記憶システム。
【請求項２４】
前記焦点メカニズムが固体浸漬レンズ（ＳＩＬ）を含み、前記メサが前記ＳＩＬの一部分を形成する請求項１７に記載の光ディスク・データ記憶システム。
【請求項２５】
前記メサがマスキングおよびエッチング工程を通じて前記スライダ内に形成される請求項１７に記載の光ディスク・データ記憶システム。
【請求項２６】
前記光学要素が、前記スライダの前記上面に結合された、実質的に前記メサと位置合せされているレンズ・キャップを含む請求項１６に記載の光ディスク・データ記憶システム。
【請求項２７】
前記メサが前記空気軸受表面の平面内で延びている請求項１６に記載の光ディスク・データ記憶システム。
【請求項２８】
前記光源がレーザを含む請求項１６に記載の光ディスク・データ記憶システム。
【請求項２９】
前記コイルが、前記電気導体の電気インダクタンスを増大し且つ電気抵抗を減少するように形成される請求項１６に記載の光ディスク・データ記憶システム。